(57)【要約】  ケースと、ケース内の受け端子と、並びに、側面、第１端面、第２端面、側面から突出した栓刃、第１端面から突出した第１回転軸部、第２端面から突出した第２回転軸部、及び第１回転軸部の表面に露出した接点を備えた回転プラグと、を備えた機器であって、回転プラグは、ケースに栓刃が収納された状態とケースから栓刃が突出した状態との間で回転できるように、第１回転軸部及び第２回転軸部によってケースに軸支され、受け端子は、ケースから栓刃が突出した状態の時に接点を回転プラグの回転軸の方向に圧接する。【特許請求の範囲】
【請求項１】
ケースと、
前記ケース内の受け端子と、並びに、
側面、第１端面、第２端面、前記側面から突出した栓刃、前記第１端面から突出した第１回転軸部、前記第２端面から突出した第２回転軸部、及び前記第１回転軸部の表面に露出した接点を備えた回転プラグと、
を備えた機器であって、
前記回転プラグは、前記ケースに前記栓刃が収納された状態と前記ケースから前記栓刃が突出した状態との間で回転できるように、前記第１回転軸部及び前記第２回転軸部によって前記ケースに軸支され、
前記受け端子は、前記ケースから前記栓刃が突出した状態の時に、前記接点を前記回転プラグの回転軸の方向に圧接する。
【請求項２】
請求項１に記載された機器において、前記接点が、前記第１回転軸部から突出しない。
【請求項３】
請求項１に記載された機器において、
前記第１回転軸部は、第１の接点及び第２の接点を備え、
前記回転プラグは、第１の栓刃及び第２の栓刃を備え、
前記ケース内には、第１の受け端子及び第２の受け端子が備えられ、
前記第１の受け端子は、前記第１の接点及び前記第１の栓刃と電気的につながり、
前記第２の受け端子は、前記第２の接点及び前記第２の栓刃と電気的につながっている。
【請求項４】
請求項１に記載された機器において、前記第１回転軸部が樹脂からなる。
【請求項５】
回転プラグの両端面からそれぞれ突設された回転軸部を機器本体で軸支することにより、この回転プラグの側面から突出する栓刃をこの機器本体に引き出し／押し込み自在とし、この回転プラグの一方又は双方の回転軸部の端面の一部に、栓刃に接続された接点を露出させると共に、この接点が露出した回転軸部の端面に、機器本体に支持された受け端子が圧接していることを特徴とする回転プラグを備えた機器。
【請求項６】
前記回転プラグの側面から突出する一対の栓刃に接続された２つの接点が一方の回転軸部の端面における回転軸中心の対称位置に露出すると共に、機器本体に支持された一対の受け端子が、この回転軸部の端面における回転軸中心の対称位置に圧接していることを特徴とする請求項５に記載の回転プラグを備えた機器。
【発明の詳細な説明】
【技術分野】
【０００１】
本願発明は、回転プラグから突出する栓刃をコンセントに差し込むことによりＡＣ電源等の供給を受ける回転プラグを備えた機器に関する。
【背景技術】
【０００２】
携帯電話機やデジタルカメラ等の電池を充電する充電器や、その充電器に付属するＡＣアダプターとしては、持ち運びの邪魔にならないものが好まれる。そのため、できるだけ小型で、突出した部分のない形状の製品の開発が進められている。【０００３】
このような状況のもと、充電を行う場合にのみ、回転プラグを９０°回転させて栓刃を引き出す機構を備えたＡＣアダプターが提案されている。このＡＣアダプターは、たとえば日本国特許第３３２９２５８号（以下、特許文献１と称する。）の特許公報に開示されている。これによれば、栓刃の引き出し／押し込みが自在であるため、充電をしない場合には栓刃が邪魔にならないようにＡＣアダプター本体内に押し込んでおくことができる。【０００４】
【特許文献１】特許第３３２９２５８号公報
【特許文献２】実開平６−８０２７１号公報
【発明の開示】
【発明が解決しようとする課題】
【０００５】
ところが、このようなＡＣアダプターでは、栓刃を備えるプラグを回転させることができるようにしなければならないため、ＡＣアダプターの機構が複雑化する。そのため、つぎのような問題があった。【０００６】
（Ａ）前記文献１の図３に示されたＡＣアダプターを参照しながら、問題点を説明する。このＡＣアダプターでは、回転プラグ（３０）の一方の端面にのみ回転軸部（３１）を突出させており、他方の端面には突出した回転軸部が存在しない。そのため、回転プラグ（３０）の回転が円滑に行われないという問題があった。【０００７】
（Ｂ）前記文献１の図１及び図２に示されたＡＣアダプターを参照しながら、問題点を説明する。このＡＣアダプターでは、栓刃（２０）を引き出すために回転プラグ（３０）を回転させた場合、他方の回転軸部（３５）の端面から突出した一対の接点（２２）が一対の受け端子（６０）を内側から押し広げることによって、一対の接点（２２）と一対の受け端子（６０）との接続が行われる（図２（ｃ））。すなわち、栓刃（２０）がケースから引き出されるとき、受け端子（６０）の圧迫力に逆らって、受け端子（６０）の間を押し広げている。したがって、栓刃（２０）が引き出された状態が不安定であるので、栓刃に僅かな力が加わるだけで再び反対側に回転して栓刃（２０）がケースに収納された状態にまで戻るという問題があった。【０００８】
（Ｃ）また、前記文献１の図１で示されるＡＣアダプターでは、受け端子（６０）が接点（２２）を圧接する方向が、回転プラグ（３０）の回転軸の方向に対して垂直である。そして、第２回転軸（３５）とケース（１０）が接触する環状の「曲面」と、受け端子（６０）が接点（２２）を圧接する面とが、非常に近接している。そのため、栓刃（２０）の出し入れによって第２回転軸（３５）とケース（１０）とが擦り合わされて生じた磨耗粉が、次第に拡散して受け端子（６０）と接点（２２）との間にまで達するという問題、さらには、接触不良を生じるという問題があった。【０００９】
（Ｄ）さらに、前記文献１の図１及び図２で示されるＡＣアダプターは、使用されるたびに、栓刃（２０）及び回転プラグ（３０）が何度も回転し、一対の接点（２２）が一対の受け端子（６０）を押し広げる。そのため、ピン状に突出した接点（２２）及び受け端子（６０）が次第に曲がり得るという問題、すなわち、ピン状に突出した接点（２２）や受け端子（６０）として機能する部品の耐久性が低いという問題があった。【００１０】
（Ｅ）日本国の公開実用新案公報である実開平６−８０２７１号（以下、特許文献２と称する。）の図４に示されたＡＣアダプターを参照しながら、問題点を説明する。文献２の図４に示されたＡＣアダプターでは、回転プラグの２つの端面のそれぞれにホイール形状をした端子が露出している。そして、それぞれのホイール形状の端子が、それぞれ受け端子に接続している。このような機構が採用された場合、ケース内部での配線が複雑化する。すなわち、無駄な配線が多くなるという問題があった。【００１１】
本願発明は、上記問題に鑑みなされたものである。すなわち、本願発明は、栓刃の回転動作の安定性を確保しつつ、発生した磨耗粉により接触不良を生じず、受け端子及び接点の耐久性に優れた回転プラグを備えた機器を実現することを目的とする。
【課題を解決するための手段】
【００１２】
本願発明は、ケースと、ケース内の受け端子と、並びに、側面、第１端面、第２端面、側面から突出した栓刃、第１端面から突出した第１回転軸部、第２端面から突出した第２回転軸部、及び第１回転軸部の表面に露出した接点を備えた回転プラグと、を備えた機器であって、回転プラグは、ケースに栓刃が収納された状態とケースから栓刃が突出した状態との間で回転できるように、第１回転軸部及び第２回転軸部によってケースに軸支され、受け端子は、ケースから栓刃が突出した状態の時に、接点を回転プラグの回転軸の方向に圧接することを特徴とする。【００１３】
本願発明の機器は、ケース、そのケース内の受け端子、及び回転プラグを備える。そして、その回転プラグは、側面、側面にほぼ直交して互いに対向する第１端面及び第２端面、側面から突出した栓刃、栓刃が突出する方向とほぼ直交する方向に向けて第１端面から突出した第１回転軸部、第１回転軸部が突出する方向とはほぼ逆の方向に向けて第２端面から突出した第２回転軸部、及び第１回転軸部の表面に露出した接点を備える。【００１４】
さらに、その回転プラグは、ケースに栓刃が収納された状態（ケースから栓刃が突出しない状態）とケースから栓刃が突出した状態との間で回転できるように、第１回転軸部及び第２回転軸部によってケースに軸支される。また、受け端子は、ケースから栓刃が突出した状態の時に、接点を回転プラグの回転軸の方向に圧接する。ここで、受け端子が回転プラグの回転軸の方向に接点を圧接するとは、受け端子が接点をおおよそ回転軸の方向に向けて圧接していることを意味する。すなわち、受け端子が接点を圧接する方向が回転軸から４０°程度ずれていたとしても、それは、本願の請求の範囲でいう「受け端子が接点を回転プラグの回転軸の方向に圧接する」に含まれるものとする。【００１５】
一方で、受け端子は、ケースに栓刃が収納された状態の時に、接点を圧接しない。ケースに栓刃が収納された状態の時には、受け端子は、第１回転軸部を圧接することになる。【００１６】
本願発明の機器においては、栓刃がケースから突出した状態の安定性が、栓刃がケースに収納された状態のそれとくらべて、違わない。そのため、栓刃がケースから突出した状態において栓刃にわずかな力が加えられたとしても、回転プラグが回転して栓刃がすぐにケースに収納された状態に戻るという問題（前述の（Ｂ）の問題）がない。【００１７】
また、本願発明の機器では、受け端子が接点を回転プラグの回転軸の方向に圧接している。しかも、第１回転軸部とケースが接触する環状の「曲面」と、受け端子が接点を圧接する「面」とが近接していない。したがって、第１回転軸部とケースとが擦り合わさることによって磨耗粉が生じても、この磨耗粉が受け端子と接点との間まで達することがない。そのため、接触不良を生じるという問題（前述の（Ｃ）の問題）がない。【００１８】
また、本願発明の機器では、回転プラグが第１回転軸部及び第２回転軸部によってケースに軸支されるので、回転プラグの動作が円滑である。つまり、前述の（Ａ）の問題は生じない。【００１９】
ここで、回転プラグを構成する材料としては、耐摩耗性や滑性の高いものが好ましい。樹脂の磨耗粉が生じにくくなるからである。また、回転プラグは絶縁体であればよいので、樹脂に代えて耐摩耗性や滑性の高いセラミックス等の他の材料を用いてもよい。また、回転プラグを構成する側面、第１端面、又は第２端面だけに、このようなセラミックス等の他の材料を使用してもよい。さらに、これらの表面に、耐摩耗性や滑性を備えさせる公知の表面処理をおこなってもよい。【００２０】
本願発明は、接点が第１回転軸部から突出しないことを特徴とする。
本願発明の機器においては、回転プラグの回転が繰り返されたとしても、接点が、次第に曲がるようなおそれがない。なぜなら、接点が、回転軸部に埋め込まれているからである。すなわち、本願発明により、接点の耐久性が向上する。したがって、前述の（Ｄ）の問題が解消される。なお、本願発明は、第１回転軸部は第１の接点及び第２の接点を備え、第１の接点と第２の接点との間に樹脂を備えることを特徴としてもよい。このような特徴によっても、第１の接点及び第２の接点をその樹脂が支持することができる。したがって、回転プラグの回転が繰り返されたとしても、接点が、次第に曲がるようなおそれを低減でき、接点に関する部品の耐久性が向上する。したがって、前述の（Ｄ）の問題が解消される。【００２１】
本願発明は、第１回転軸部は、第１の接点及び第２の接点を備え、回転プラグは、第１の栓刃及び第２の栓刃を備え、ケース内には、第１の受け端子及び第２の受け端子が備えられ、そして、第１の受け端子は第１の接点及び第１の栓刃と電気的につながり、第２の受け端子は第２の接点及び前記第２の栓刃と電気的につながっていることを特徴とする。本願発明の機器においては、無駄な配線が少なくなる。したがって、前述の（Ｅ）の問題が解消される。【００２２】
本願発明は、第１回転軸部が樹脂からなる。これによって、回転プラグの製造が容易となる。
本願発明は、側面から栓刃が突出する方向とほぼ直交する方向に向いて、第２回転軸部から更なる突出部を備え、その突出部が角柱の形状であることを特徴とする。また、ケースは、角柱を挟持する部材を備えることを特徴とする。
本願発明は、受け端子が、ケースに収納された回路基板に備えられることを特徴とする。ここで、回路基板が、充電回路であることを特徴とする。【００２３】
本願発明は、回転プラグの両端面からそれぞれ突設された回転軸部を機器本体で軸支することにより、この回転プラグの側面から突出する栓刃をこの機器本体に引き出し／押し込み自在とし、この回転プラグの一方又は双方の回転軸部の端面の一部に、栓刃に接続された接点を露出させると共に、この接点が露出した回転軸部の端面に、機器本体に支持された受け端子が圧接していることを特徴とする。【００２４】
これによれば、機器本体の受け端子が回転プラグの回転軸部の端面に圧接するので、少なくとも栓刃が引き出されたときに、この受け端子が回転軸部の端面に露出する接点に接触するようにすれば、この栓刃と受け端子とを接続することができるようになる。しかも、これら受け端子と接点とは、回転軸部の端面で接触するので、この回転軸部の周側面が軸支によって磨耗粉を生じたとしても、この磨耗粉が受け端子と接点との間に入り込む可能性はほとんどなくなり、接触不良を起こすおそれもなくなる。また、回転プラグは、両端面から突出させた回転軸部をそれぞれ軸支されるので、回転が円滑に行われないようになるということもなくなる。さらに、受け端子は回転軸部の端面に常に摺接しているので、回転プラグの回転位置によって回転状態が不安定になるということもなくなる。【００２５】
また、本願発明は、前記回転プラグの側面から突出する一対の栓刃に接続された２つの接点が一方の回転軸部の端面における回転軸中心の対称位置に露出すると共に、機器本体に支持された一対の受け端子が、この回転軸部の端面における回転軸中心の対称位置に圧接していることを特徴とする。【００２６】
これによれば、一対の栓刃が２つの接点を介して一対の受け端子に接続されるので、ＡＣ電源のコンセントから電源の供給を受けるための回転プラグを備えた機器に好適に使用することができる。しかも、２つの接点は、一方の回転軸部の端面に露出するので、一対の受け端子もこの端面の面する位置に並べて配置することができ、これらの受け端子への配線の引き回しに無駄を生じない。
【図面の簡単な説明】
【００２７】
【図１】本願発明の一実施形態を示すものであって、受け端子が第１回転軸部の端面を圧接する状態を示す拡大斜視図である。
【図２】本願発明の一実施形態を示すものであって、回転プラグの構造を示す拡大斜視図である。
【図３】本願発明の一実施形態を示すものであって、充電器の構造を示す分解斜視図である。
【図４】本願発明の一実施形態を示すものであって、栓刃をケースに押し込んだときに、受け端子が、回転プラグの第１回転軸部の端面を圧接する状態を示す拡大正面図である。
【図５】本願発明の一実施形態を示すものであって、栓刃をケースから引き出したときに、受け端子が、回転プラグの第１回転軸部の接点を圧接する状態を示す拡大図である。
【符号の説明】
【００２８】
１  上ケース
２  下ケース
２ａ  軸受部
４  回転プラグ
４ａ  第１回転軸部
４ｂ  第２回転軸部
４ｃ  軸支部（第１回転軸部４ａの基部）
４ｄ  軸支部（第２回転軸部４ｂの基部）
５  栓刃
５ａ  接点
７  受け端子
【発明を実施するための最良の形態】
【００２９】
本願発明は、たとえば、ＡＣアダプター、リチウムイオン電池等の小型電池を充電する充電器、及び電源以外の何らかの信号などをやり取りするためのコネクタなどに、具体化される。すなわち、回転プラグの機構を備えた機器であれば、どのような機器に対しても本願発明は具体化されうる。【００３０】
以下の説明においては、本願発明が充電器に具体化された場合における好ましい実施形態について、図１〜図５を参照しながら説明する。
本実施形態の充電器では、ＡＣ電源からＤＣ電源への変換の機能、及び小型電池を充電する機能が果たされる。【００３１】
本実施形態の充電器のケースは、図３に示すように方形箱型である。これは、樹脂製の上ケース１と下ケース２とを、上下から重ね合わせることにより構成される。下ケース２内には、充電回路の各素子（この各素子は図示されていない。）が実装された回路基板３が取り付けられる。また、この下ケース２内の右側端部には、円弧状に窪んだ軸受部２ａ、２ｂが形成される。そして、これらの軸受部２ａ、２ｂの間の下方は開口している。【００３２】
上ケース１は、上面の左側に図示しない電池パックを装着する凹状の装着部１ａが形成される。回路基板３に取り付けられた複数の電池端子３ａは、この装着部１ａ内に突出する。これにより、装着した電池パックとこの回路基板３の充電回路とが接続される。また、この上ケース１内の右側端部には、下ケース２の軸受部２ａ、２ｂに対応する円弧状に窪んだ図示しない軸受部（この軸受部は、図３では隠れている。）が形成されている。【００３３】
上記下ケース２の軸受部２ａ、２ｂの間には、回転プラグ４が取り付けられる。回転プラグ４は、樹脂成形品である。図３における前側の側面から、一対の栓刃５、５がそれぞれ突出する。そして、左右方向の端面から、第１回転軸部４ａ（第１回転軸部４ａは、図３では隠れている。）と第２回転軸部４ｂが突出する。【００３４】
第１回転軸部４ａとは、図１及び図２に示されるように、回転プラグ４の左側の端面からさらに左方向に突設したほぼ円柱状の成形部である。その基部は円柱状となって軸支部４ｃを構成する。左側を向く端面においては、その上下端において接点５ａ、５ａが露出する。これら接点５ａ、５ａは、回転プラグ４の内部でそれぞれ一対の栓刃５、５に電気的につながっている。【００３５】
１枚の金属板を加工することにより、栓刃５と接点５ａとなる部分が形成される。すなわち、１枚の金属板の前側に栓刃５となる部分が形成されると共に、この後方が左側に折り曲げられることにより接点５ａの部分が形成される。そして、これらの金属板を２枚用いてインサート成形することによって、一対の栓刃５、５が埋め込まれた回転プラグ４が加工される。【００３６】
なお、第１回転軸部４ａの端面に露出する接点５ａ、５ａは、上記のように栓刃５、５とそれぞれ一体となってつながっていなくても良い。すなわち、他の導電性の部材を介する等何らかの方法により、電気的につながっていればよい。また、本実施形態では、第１回転軸部４ａにおける基部の軸支部４ｃを除いた周側面にも接点５ａ、５ａが露出する形態（図２）を示した。しかし、この形態は、インサート成形時の接点５ａ、５ａの位置決めをするため、及び樹脂の薄い層が形成されるのを避けるためになされたに過ぎない。本願発明を具体化するにあたっては、接点５ａ、５ａが、第１回転軸部４ａの周側面に露出する必要はない。また、当然のことであるが、一対の栓刃同士は、電気的につながっていない。すなわち、第１の栓刃と第２の栓刃とは、電気的につながっていない。【００３７】
上記第２回転軸部４ｂは、図３に示されるように、回転プラグ４の右側の端面からさらに右方向に突設した成形部である。その基部は円柱状となって軸支部４ｄを構成する。さらに右方向に突出した部分に、正四角柱部４ｅが形成される。そして、上記第１回転軸部４ａの基部の軸支部４ｃと第２回転軸部４ｂの基部の軸支部４ｄとが、下ケース２の軸受部２ａ、２ｂに嵌め込まれると共に、この上に上ケース１の軸受部を覆いかぶせることにより、回転プラグ４が外装ケース１、２内で軸支されて回転可能となる。【００３８】
ただし、本実施形態の充電器においては、この回転プラグ４は、栓刃５、５が手前を向いた押し込み状態（ケースに栓刃が収納された状態）から、下ケース２の開口部を通してこれらの栓刃５、５が下方に引き出された状態（ケースから栓刃が突出した状態）までの９０°の回転角度の範囲でのみ回転するようにした。【００３９】
上記回転プラグ４の第２回転軸部４ｂの正四角柱部４ｅには、ロッカー６が取り付けられる。ロッカー６は、図３に示される形状を有し、弾性の強い樹脂板からなる。このロッカー６の間に正四角柱部４ｅが挟み込まれた状態で、回転プラグ４及びロッカー６が下ケース２に嵌め込まれる。【００４０】
栓刃５、５が手前を向いた押し込み状態、及び下方を向いた引き出し状態の時には、正四角柱部４ｅの平らな周側面が、ロッカー６により適度な付勢力で挟持される。一方、栓刃５、５がこれらの状態の間に位置する時には、ロッカー６が正四角柱部４ｅの角部に押し広げられるので、正四角柱部４ｅの角部が強い付勢力で挟持される。そのため、栓刃５、５の押し込み状態、及び引き出し状態でそれぞれ安定し、これらの間を回転プラグ４が回転して移行する間にクリック感が生じる。【００４１】
上記回路基板３の右端部には、図３に示すように、一対の受け端子７、７が並んで取り付けられる。受け端子７、７は、回路基板３上の充電回路のＡＣ電源供給部（図示せず）に接続される。受け端子７、７は、いずれも導電性の金属板からなり、その先端部が共に右斜め下方に折り曲げられた端子である。そして、図１に示すように、これらの受け端子７、７の右側への突出端が、第１回転軸部４ａの端面の前後位置に並んで適度な押圧力で圧接する。【００４２】
受け端子７、７は、栓刃５、５が前方を向いた押し込み状態のときには、図４に示すように、第１回転軸部４ａの端面における樹脂のみが露出している部分Ａを圧接する。一方、これら栓刃５、５が下方を向いた引き出し状態のときには、図５に示すように、第１回転軸部４ａの端面における接点５ａ、５ａが露出した部分Ｂを圧接する。【００４３】
充電器を使用しないとき、すなわち電池の充電をしないときには、栓刃５、５を前方に向けて外装ケース１、２内に押し込むことができる。これにより、栓刃５，５が邪魔にならない。一方、電池を充電するときには、栓刃５、５を下方に向けて引き出す。これにより、回転プラグ４が９０°回転し、受け端子７、７が、第１回転軸部４ａの端面に備えられた接点５ａ、５ａを圧接し、栓刃５、５が回路基板３上の充電回路と接続される。そして、電池を装着部１ａに装着し、充電器の底面から引き出された栓刃５、５を外部のＡＣ電源のコンセントに差し込むことにより、電池が充電される。【００４４】
本実施形態の充電器においては、受け端子７、７が接点５ａ、５ａを回転プラグ４の回転軸の方向に圧接している。しかも、第１回転軸部４ａとケースが接触する環状の「曲面」と、受け端子が接点を圧接する「面」とが近接していない。そのため、第１回転軸部４ａの基部の軸支部４ｃが軸受部２ａと摩擦することによって磨耗粉が生じたとしても、この磨耗粉が受け端子７と接点５ａとの間に入り込む可能性はほとんどない。したがって、受け端子７と接点５ａとの接触が不良となるおそれがない。【００４５】
また、両端面から突出した第１回転軸部４ａの軸支部４ｃと第２回転軸部４ｂの軸支部４ｄとが、それぞれ、軸受部２ａ、２ｂ等に軸支されるので、回転プラグ４の回転は常に円滑となる。【００４６】
さらに、受け端子７、７は、第１回転軸部４ａの端面に常に摺接しているので、回転プラグ４の位置によって安定性に違いが生じない。例えば、文献１で示したＡＣアダプターのように、受け端子が接点に圧接している状態が不安定であるようなことにならない。しかも、ロッカー６が第２回転軸部４ｂの正四角柱部４ｅを挟み込んでいるので、栓刃５、５が前方を向いた押し込み状態のとき及び下方を向いた引き出し状態のときに、回転状態が安定することになる。【００４７】
最後に、上記実施形態以外の他の実施形態について例示する。
上記実施形態では、第１回転軸部４ａの軸支部４ｃ、及び第２回転軸部４ｂの軸支部４ｄを円柱状にし、外装ケース１、２の軸受部２ａ、２ｂ等を円弧状の窪みとしている。しかし、第１回転軸部４ａ及び第２回転軸部４ｂが軸支されればよいので、これらの形状は必ずしも限定されない。即ち、例えば軸支部４ｃ、４ｄが円柱状であれば軸受部２ａ、２ｂ等はどのような形状の窪みでもよいし、また、軸受部２ａ、２ｂ等が円弧状であれば軸支部４ｃ、４ｄは正多角柱状であってもよい。【００４８】
上記実施形態では、第２回転軸部４ｂに正四角柱部４ｅを形成して、これをロッカー６で挟み込む場合を示したが、これと共に、又はこれに代えて、第１回転軸部４ａに正四角柱部を形成し、これをロッカーで挟み込んでクリック感を得るようにしてもよい。さらに、回転プラグ４の回転時にクリック感を得る構成であれば、このような正四角柱部とロッカーの組み合わせによる構成に限定されない。さらに、回転プラグ４の回転時にクリック感が必要とされなければ、正四角柱部とロッカーの組み合わせ等の構成は不要である。【００４９】
上記実施形態では、金属板を折り曲げた受け端子７、７を用いる場合を示したが、第１回転軸部４ａの端面に露出する接点５ａ、５ａに圧接する導電体であれば、材質、形状、及び構造は任意に決定され得る。ただし、第１回転軸部４ａの端面の樹脂を削り落とすようなものや、この第１回転軸部４ａの端面の回転に伴って円滑な摺接ができないようなものは、好ましくない。【００５０】
上記実施形態では、一対の栓刃５、５に接続された２つの接点５ａ、５ａに一対の受け端子７、７を圧接する場合を示した。しかし、単一の栓刃に接続された単一の接点に単一の受け端子を圧接したり、又は３本以上の栓刃に接続された３つ以上の接点に３つ以上の受け端子をそれぞれ圧接したりする場合であっても、本願発明は同様に適用され得る。しかも、これらの接点は、第１回転軸部４ａの端面に代えて、第２回転軸部４ｂの端面に露出させるようにしてもよい。また、第１回転軸部４ａと第２回転軸部４ｂの双方の端面に露出させるようにしてもよい。そして、これらの場合には、受け端子が、それぞれ圧接する接点に対応した位置に配置されるようにすればよい。【００５１】
上記実施形態では、ＡＣ電源のコンセントから電源の供給を受けて、携帯電話機等の電池パックの充電を行う充電器について説明した。しかし、コンセントから供給される電源の種類は任意である。また、充電を行う二次電池の種類や用途は限定されない。【００５２】
なお、本出願は、２００５年３月１１日出願の日本特許出願（特願２００５−６８３１９）に基づくものであり、それらの内容はここに参照として取り込まれる。
【産業上の利用可能性】
【００５３】
本願発明は、たとえば、ＡＣアダプター、リチウムイオン電池等の小型電池を充電する充電器、及び電源以外の何らかの信号などをやり取りするためのコネクタなどに、具体化される。すなわち、回転プラグの機構を備えた機器であれば、どのような機器に対しても本願発明は具体化されうる。【００５４】
本願発明は、回転プラグを備えた機器に広く適用されうるものであるので、本願発明は産業上利用することができる発明である。
【図１】
2006095786.tif 000002
【図２】
2006095786.tif 000003
【図３】
2006095786.tif 000004
【図４】
2006095786.tif 000005
【図５】
2006095786.tif 000006
【国際調査報告】
2006095786.tif 000007
2006095786.tif 000008